(57)【特許請求の範囲】
【請求項１】
携帯型の電子機器であって、
メニュー項目を含むメニュー画面を表示する表示部と、
前記メニュー画面に対するユーザの操作を受け付ける操作部と、
前記操作部におけるユーザ操作に応じて、前記表示部を制御する制御部とを備え、
前記メニュー画面は、
前記メニュー項目を分類するカテゴリを示す第１タブ情報と、
前記カテゴリに含まれる複数のサブカテゴリを示す第２タブ情報と、
前記複数のサブカテゴリの各々にわたって、一のサブカテゴリに対して分類されたメニュー項目を複数組に分割して前記メニュー画面に表示する際の前記メニュー項目の組の個数をそれぞれ示す第３タブ情報とをさらに含み、
前記制御部は、前記第１、第２及び第３タブ情報が前記メニュー画面に表示された状態で前記操作部に入力されるユーザ操作に応じて、前記メニュー画面に表示させるメニュー項目を変更する
電子機器。
【請求項２】
前記複数のサブカテゴリのうちの一のサブカテゴリに分類されたメニュー項目の少なくとも一部が前記メニュー画面に表示された状態で、
前記第３タブ情報は、前記複数のサブカテゴリのうちの前記一のサブカテゴリ及び残りのサブカテゴリの各々における前記メニュー項目の組の個数を表示する
請求項１に記載の電子機器。
【請求項３】
前記操作部は、前記第２タブ情報が示す複数のサブカテゴリから一のサブカテゴリを選択するユーザ操作を受け付け、
前記制御部は、
選択されたサブカテゴリに分類されたメニュー項目の少なくとも一部を前記メニュー画面に表示させ、
前記選択されたサブカテゴリを特定するように、前記第２タブ情報の表示を制御する
請求項１に記載の電子機器。
【請求項４】
前記選択されたサブカテゴリが、前記複数組に分割されたサブカテゴリである場合、
前記表示部は、前記第３タブ情報として更に、当該複数組の各々を示す複数のタブを表示し、
前記操作部は、前記複数のタブから一のタブを選択するユーザ操作を受け付け、
前記制御部は、
選択されたタブが示す組のメニュー項目を前記メニュー画面に表示させ、
前記選択されたタブが示す組を特定するように、前記第３タブ情報の表示を制御する
請求項３に記載の電子機器。
【請求項５】
前記第２タブ情報は、前記複数のサブカテゴリの各々を示す複数のアイコンを含み、
前記アイコンは、対応するサブカテゴリが前記メニュー項目の組を含む場合に前記メニュー項目の組の個数を示すインジケータを有し、
前記第３タブ情報は、前記複数のアイコンのインジケータによって構成される
請求項１に記載の電子機器。
【請求項６】
前記操作部は、前記アイコンに対するユーザ操作を受け付け、
前記制御部は、前記アイコンに対するユーザ操作が入力される毎に、当該アイコンのインジケータが示す前記メニュー項目の組の個数において巡回的に、前記メニュー画面に表示させるメニュー項目の組を切り替える
請求項５に記載の電子機器。
【請求項７】
前記操作部は、前記メニュー画面に対するタッチ操作を受け付けるタッチパネルを含む
請求項１に記載の電子機器。
【請求項８】
前記電子機器は、被写体像を撮像して画像データを生成する撮像装置を構成し、
前記メニュー項目は、前記撮像装置の設定に関する項目を含む
請求項１に記載の電子機器。
【発明の詳細な説明】
【技術分野】
【０００１】
本開示は、複数のメニュー画面を表示する携帯型の電子機器に関し、例えばデジタルカメラ等の撮像装置のような電子機器に関する。
【背景技術】
【０００２】
特許文献１は、デジタルカメラ、携帯電話、携帯情報端末等の携帯型電子機器における表示器の画面が小さいため、一度に多くの情報を表示することができないという問題に対する表示制御方法を開示している。表示制御方法は、機器の複数の機能をそれぞれ設定する際に、複数の設定用アイコンとページ用アイコンとを含む複数のアイコンが２次元配列された一覧画面を表示させる。この一覧画面上で任意の設定用アイコンが選択され、かつ選択された設定用アイコンに対応するパラメータの設定の指示入力を受け付けると、指示入力に対応するパラメータの設定内容を設定用アイコン上に表示させる。一方、ページ用アイコンの操作に基づいてページが切り替えられる。こうした表示制御方法により、一覧画面の画面遷移を伴わずに、全てのパラメータの内容を一覧画面上で確認しながらパラメータの設定変更を行うことができる。
【先行技術文献】
【特許文献】
【０００３】
【特許文献１】国際公開第２０１３／１５３７１１号
【発明の概要】
【発明が解決しようとする課題】
【０００４】
本開示は、携帯型の電子機器において、ユーザが複数のメニュー画面にわたる探索を行い易くすることができる電子機器を提供する。
【課題を解決するための手段】
【０００５】
本開示における携帯型の電子機器は、表示部と、操作部と、制御部とを備える。表示部は、メニュー項目を含むメニュー画面を表示する。操作部は、メニュー画面に対するユーザの操作を受け付ける。制御部は、操作部におけるユーザ操作に応じて、表示部を制御する。メニュー画面は、メニュー項目を分類するカテゴリを示す第１タブ情報と、カテゴリに含まれる複数のサブカテゴリを示す第２タブ情報と、複数のサブカテゴリの各々に関して、一のサブカテゴリに対して分類されたメニュー項目を複数組に分割してメニュー画面に表示する際のメニュー項目の組の個数を示す第３タブ情報とをさらに含む。制御部は、第１、第２及び第３タブ情報がメニュー画面に表示された状態で操作部に入力されるユーザ操作に応じて、メニュー画面に表示させるメニュー項目を変更する。
【発明の効果】
【０００６】
本開示によると、携帯型の電子機器において、ユーザが複数のメニュー画面にわたる探索を行い易くすることができる。
【図面の簡単な説明】
【０００７】
【図１】本開示の実施形態１に係るデジタルカメラの構成を示す図
【図２】デジタルカメラの背面を示した図
【図３】デジタルカメラにおけるタブの階層構造を例示する図
【図４】デジタルカメラにおけるメインタブテーブルのデータ構造を例示する図
【図５】デジタルカメラにおけるサブタブテーブルのデータ構造を例示する図
【図６】デジタルカメラにおけるサブサブタブテーブルのデータ構造を例示する図
【図７】デジタルカメラにおけるメニューテーブルのデータ構造を例示する図
【図８】デジタルカメラの表示モニタにおけるメニュー画面の表示例を示す図
【図９】サブタブアイコンの構成を例示する図
【図１０】デジタルカメラにおける設定メニューの表示動作を例示するフローチャート
【図１１Ａ】デジタルカメラにおける最終アクセステーブルの一例を示す図
【図１１Ｂ】デジタルカメラにおける最終アクセステーブルの別例を示す図
【図１２】デジタルカメラにおけるタッチ操作処理を例示するフローチャート
【図１３Ａ】図８の次のサブサブタブによるメニュー画面の表示例を示す図
【図１３Ｂ】図１３Ａの次のサブサブタブによるメニュー画面の表示例を示す図
【図１４Ａ】図８とは別のサブタブによるメニュー画面の表示例を示す図
【図１４Ｂ】図１４Ａの次のサブサブタブによるメニュー画面の表示例を示す図
【図１４Ｃ】図８とは別のメインタブによるメニュー画面の表示例を示す図
【図１５】メニュー画面に対するユーザ操作の変形例を説明するためのフローチャート
【図１６】変形例におけるメニュー画面の表示例を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者は、当業者が本開示を十分に理解するために添付図面および以下の説明を提供するのであって、これらによって特許請求の範囲に記載の主題を限定することを意図するものではない。
【０００９】
（実施形態１）
実施形態１では、本開示に係る携帯型の電子機器の一例として、デジタルカメラについて説明する。
【００１０】
１．構成
実施形態１に係るデジタルカメラの構成について、図１を用いて説明する。
【００１１】
図１は、本実施形態に係るデジタルカメラ１００の構成を示す図である。本実施形態のデジタルカメラ１００は、イメージセンサ１１５と、画像処理エンジン１２０と、表示モニタ１３０と、制御部１３５とを備える。さらに、デジタルカメラ１００は、バッファメモリ１２５と、カードスロット１４０と、フラッシュメモリ１４５と、操作部１５０とを備える。
【００１２】
また、デジタルカメラ１００は、例えば光学系１１０及びレンズ駆動部１１２を備える。光学系１１０及びレンズ駆動部１１２は、デジタルカメラ１００本体に対して着脱可能な交換レンズを構成してもよい。
【００１３】
光学系１１０は、フォーカスレンズ、ズームレンズ、光学式手ぶれ補正レンズ（ＯＩＳ）、絞り、シャッタ等を含む。フォーカスレンズは、イメージセンサ１１５上に形成される被写体像のフォーカス状態を変化させるためのレンズである。ズームレンズは、光学系で形成される被写体像の倍率を変化させるためのレンズである。フォーカスレンズ等は、それぞれ１枚又は複数枚のレンズで構成される。
【００１４】
レンズ駆動部１１２は、光学系１１０におけるフォーカスレンズ等を駆動する。レンズ駆動部１１２はモータを含み、制御部１３５の制御に基づいてフォーカスレンズを光学系１１０の光軸に沿って移動させる。レンズ駆動部１１２においてフォーカスレンズを駆動する構成は、ＤＣモータ、ステッピングモータ、サーボモータ、または超音波モータなどで実現できる。
【００１５】
イメージセンサ１１５は、光学系１１０を介して形成された被写体像を撮像して、撮像データを生成する。撮像データは、イメージセンサ１１５による撮像画像を示す画像データを構成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、制御部１３５によって制御される。イメージセンサ１１５は、ＣＭＯＳイメージセンサ、ＣＣＤイメージセンサ、またはＮＭＯＳイメージセンサなど、種々のイメージセンサを用いることができる。
【００１６】
イメージセンサ１１５は、静止画像の撮像動作、動画像の撮像動作、スルー画像の撮像動作等を実行する。スルー画像は主に動画像であり、ユーザが静止画像の撮像のための構図を決めるために表示モニタ１３０に表示される。スルー画像及び静止画像は、それぞれ本実施形態における撮像画像の一例である。イメージセンサ１１５は、本実施形態における撮像部の一例である。
【００１７】
画像処理エンジン１２０は、イメージセンサ１１５から出力された撮像データに対して各種の処理を施して画像データを生成したり、画像データに各種の処理を施して、表示モニタ１３０に表示するための画像を生成したりする。各種処理としては、ホワイトバランス補正、ガンマ補正、ＹＣ変換処理、電子ズーム処理、圧縮処理、伸張処理等が挙げられるが、これらに限定されない。画像処理エンジン１２０は、ハードワイヤードな電子回路で構成してもよいし、プログラムを用いたマイクロコンピュータ、プロセッサなどで構成してもよい。
【００１８】
表示モニタ１３０は、種々の情報を表示する表示部の一例である。例えば、表示モニタ１３０は、イメージセンサ１１５で撮像され、画像処理エンジン１２０で画像処理された画像データが示す画像（スルー画像）を表示する。また、表示モニタ１３０は、ユーザがデジタルカメラ１００に対して種々の設定を行うためのメニュー画面等を表示する。表示モニタ１３０は、例えば、液晶ディスプレイデバイスまたは有機ＥＬデバイスで構成できる。
【００１９】
操作部１５０は、ユーザからの操作（指示）を受け付ける操作部材の総称である。操作部１５０は、例えば物理的なボタン、レバー、ダイヤル、タッチパネル、スイッチ等を含む。また、操作部１５０は、表示モニタ１３０上に表示される仮想的なボタンやアイコンも含む。操作部１５０の具体例については後述する。
【００２０】
制御部１３５は、デジタルカメラ１００全体の動作を統括制御する。制御部１３５はＣＰＵ等を含み、ＣＰＵがプログラム（ソフトウェア）を実行することで所定の機能を実現する。制御部１３５は、ＣＰＵに代えて、所定の機能を実現するように設計された専用の電子回路で構成されるプロセッサを含んでもよい。すなわち、制御部１３５は、ＣＰＵ、ＭＰＵ、ＧＰＵ、ＤＳＵ、ＦＰＧＡ、ＡＳＩＣ等の種々のプロセッサで実現できる。制御部１３５は１つまたは複数のプロセッサで構成してもよい。また、制御部１３５は、画像処理エンジン１２０などと共に１つの半導体チップで構成してもよい。
【００２１】
バッファメモリ１２５は、画像処理エンジン１２０や制御部１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。フラッシュメモリ１４５は不揮発性の記録媒体である。例えば、フラッシュメモリ１４５は、本実施形態におけるデジタルカメラ１００のメニューに関する情報を管理するための各種データ構造（後述）を格納する。各メモリ１４５，１２５は、それぞれ本実施形態における記憶部の一例である。
【００２２】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理エンジン１２０で生成される画像データなどのデータを格納できる。
【００２３】
１−１．操作部について
操作部１５０の具体例を、図２を用いて説明する。図２は、デジタルカメラ１００の背面を示した図である。
【００２４】
図２では、操作部１５０の例として、レリーズボタン１５１、選択ボタン１５２、決定ボタン１５３、タッチパネル１５５、メニュー表示ボタン１５６およびダイヤル１５７が示されている。操作部１５０は、ユーザによる操作を受け付けると、制御部１３５に種々の指示信号を送信する。
【００２５】
レリーズボタン１５１は、二段押下式のボタンである。レリーズボタン１５１がユーザにより半押し操作されると、制御部１３５はオートフォーカス制御（ＡＦ制御）やオート露出制御（ＡＥ制御）などを実行する。また、レリーズボタン１５１がユーザにより全押し操作されると、制御部１３５は、押下操作のタイミングに撮像された画像データを記録画像としてメモリカード１４２等に記録する。
【００２６】
選択ボタン１５２は、上下左右方向に設けられた押下式ボタンである。ユーザは、上下左右方向のいずれかの選択ボタン１５２を押下することにより、表示モニタ１３０に表示される各種条件項目を選択したり、カーソルを移動したりすることができる。以下、上方向の選択ボタン１５２を「上キー」といい、下方向の選択ボタン１５２を「下キー」という場合がある。
【００２７】
決定ボタン１５３は、押下式ボタンである。決定ボタン１５３が各種条件の設定項目が選択されているときに押下されると、制御部１３５は、選択された項目の設定を確定する。又、例えばメニュー画面においてメニュー項目が選択されている状態で、決定ボタン１５３が押下されると、制御部１３５は、当該メニュー項目に関する設定画面に遷移するように表示モニタ１３０を制御できる。
【００２８】
タッチパネル１５５は、表示モニタ１３０の表示画面と重畳して配置され、ユーザの指による表示画面上へのタッチ操作を検出する。これにより、ユーザは、表示モニタ１３０に表示された画像に対する領域の指定、メニュー画面上の各種選択等の操作を行える。
【００２９】
メニュー表示ボタン１５６は、押下式ボタンである。デジタルカメラ１００が撮影モードあるいは再生モードにあるときに、メニュー表示ボタン１５６がユーザにより押下されると、制御部１３５は表示モニタ１３０にメニュー画面を表示する。メニュー画面は、例えば撮影／再生のための各種条件を設定するためのメニュー項目を含む画面である。
【００３０】
ダイヤル１５７は、回転式の操作部材である。ダイヤル１５７は、デジタルカメラ１００における各種モードの設定に利用可能である。
【００３１】
１−２．データ構造について
本実施形態のデジタルカメラ１００において、種々のメニュー項目を管理するためのデータ構造の一例を、図３〜７を用いて説明する。
【００３２】
本実施形態のデジタルカメラ１００は、ユーザが設定メニューを用いて、多岐に亘るメニュー項目から目的とするメニュー項目を探すためのタブにおいて、階層的な構造を採用する。タブの階層構造は、図３に示すように、上位から順番にメインタブの階層Ｌ１、サブタブの階層Ｌ２、及びサブサブタブの階層Ｌ３を含む。
【００３３】
メインタブの階層Ｌ１は、複数のメインタブから成る。メインタブは、メニュー項目全般を大局的に分類するカテゴリを示すタブである。こうしたカテゴリは、例えば「写真」、「動画」および「カスタム」などであり、デジタルカメラ１００における各種動作および機能を大別する観点から規定される。
【００３４】
メインタブを管理するデータ構造の一例として、図４にメインタブテーブルＤ１を例示する。メインタブテーブルＤ１は、例えば各メインタブを識別する「メインタブＩＤ」と、カテゴリに応じた「メインタブ名」とを関連付けて記録する。
【００３５】
サブタブの階層Ｌ２は、メインタブ各々の下位に設けられる複数のサブタブから成る。サブタブは、上位のメインタブが示すカテゴリに含まれるメニュー項目を更に分類するサブカテゴリを示すタブである。サブカテゴリは、例えば１つのカテゴリ中の各メニュー項目が意味する対象を考慮する意味分けの観点から規定される。例えば、メインタブＩＤ「３」のカテゴリ「カスタム」には、「画質」、「フォーカス／レリーズ」及び「操作」といったサブカテゴリがある。
【００３６】
サブタブを管理するデータ構造の一例として、図５にサブタブテーブルＤ２を例示する。サブタブテーブルＤ２は、例えば「メインタブＩＤ」と、各サブタブを識別する「サブタブＩＤ」と、サブカテゴリに応じた「サブタブ名」と、「サブサブタブ数」とを関連付けて記録する。サブタブテーブルＤ２における「メインタブＩＤ」は、対応するサブタブの上位のメインタブを示す。「サブサブタブ数」は、対応するサブタブの下位に設けられるサブサブタブの個数を示す。
【００３７】
例えばサブタブＩＤ「１−１」のサブタブに関して、サブサブタブ数は「０」である。この場合のサブタブは、対応するサブカテゴリに含まれるメニュー項目の個数が所定の上限数以下であることを想定している。上限数は、例えばメニュー画面上にメニュー項目を同時に表示可能な最大の個数に設定される（図８参照）。この場合のメニュー項目は、特にサブサブタブを用いずにサブタブを用いて管理できる（図７，１４Ｃ参照）。
【００３８】
サブサブタブの階層Ｌ３は、サブタブの下位に設けられる複数のサブサブタブから成る。サブサブタブは、上位のサブタブが示すサブカテゴリに含まれるメニュー項目を更に分類するグループ（組）を示すタブである。こうしたグループは、例えば１つのサブカテゴリ中のメニュー項目を、上述した上限数以下の個数に分割するように規定される。なお、サブカテゴリ中のメニュー項目の個数が上限数以下であるサブタブに対しては、特にサブサブタブが設けられなくてもよい。
【００３９】
サブサブタブを管理するデータ構造の一例として、図６にサブサブタブテーブルＤ３を例示する。サブサブタブテーブルＤ３は、例えば各サブサブタブの上位のサブタブを示す「サブタブＩＤ」と、サブサブタブを識別する「サブサブタブＩＤ」とを関連付けて記録する。
【００４０】
図３の例では、サブサブタブに関しては特にサブカテゴリのような意味分けの観点なしに上記のグループが規定される場合を示しており、各サブサブタブに対して名称の代わりに番号が付与されている。こうしたサブサブタブは、例えば意味分けの観点から分類したサブカテゴリ中のメニュー項目の表示に際して有用である。
【００４１】
図７は、メニュー項目を表示用に管理するデータ構造の一例として、メニューテーブルＤ４を例示する。本例のメニューテーブルＤ４は、メニュー項目を最終的に分類したＩＤを示す「分類ＩＤ」と、「メニュー名」とを関連付けて記録する。「分類ＩＤ」は、サブサブタブの有無に応じて、サブサブタブＩＤ又はサブタブＩＤを記録する。
【００４２】
本実施形態では、メニューテーブルＤ４における別々の分類ＩＤにおいて、同じメニュー項目が登録されてもよい。例えば図３の例では、別々のカテゴリ「写真」及び「動画」の双方に、メニュー項目「フォトスタイル」等が含まれている。これにより、例えば写真撮影のみに興味があるユーザも、動画撮影のみに興味があるユーザも、上記のメニュー項目が見つけられるようにして、設定メニューの検索性を向上することができる。
【００４３】
一方、こうした場合にはメニューテーブルＤ４で管理されるメニュー項目の数が、重複分を含めて多大となり、ユーザ操作によるメニュー項目の探索が煩雑となることが考えられる。そこで、本実施形態では、メニュー項目の探索を行い易くするユーザインタフェースを提供する。
【００４４】
２．動作
以上のように構成されるデジタルカメラ１００の動作を以下説明する。
【００４５】
２−１．動作の概要
本実施形態のデジタルカメラ１００においてユーザが設定メニューを利用する際の動作の概要を、図８，９を用いて説明する。図８は、デジタルカメラ１００の表示モニタ１３０におけるメニュー画面の表示例を示す。図中に表示モニタ１３０の水平方向Ｘ及び垂直方向Ｙを例示する。
【００４６】
本実施形態のデジタルカメラ１００において、メニュー画面は、メニューリスト領域Ｒ１、タイトル領域Ｒ２、及び３階層のタブ領域Ｒ３を含む。図８の例では、さらに、サブサブタブを示すアイコン（即ちサブサブタブアイコン）５３が表示されている。
【００４７】
メニューリスト領域Ｒ１は、例えば一画面に表示可能な上限数の範囲内において、複数のメニュー項目をリスト状に表示する。当該領域Ｒ１に表示されたメニュー項目のリストを以下「メニューリスト」という。メニューリストにおいては、選択中のメニュー項目が強調表示される。タイトル領域Ｒ２は、例えばメニューリスト領域Ｒ１の垂直方向Ｙの上側に設けられ、表示中のメニューリストのタイトルとしてサブタブテーブルＤ２のサブタブ名を表示する。
【００４８】
一画面のメニューリストに含まれるメニュー項目は、メニュー項目の分類全体の中の一部となる。ユーザは、目的とするメニュー項目が表示中のメニューリストにない場合、メニュー画面を遷移させるユーザ操作を入力して、目的のメニュー項目を探すこととなる。この際、例えば現在、表示中のメニューリストが、メニュー項目の分類全体の中で、どのような位置付けにあるのかが、ユーザにとって把握し難いと、ユーザ操作を重ねても所望のメニュー項目に辿り着くことが困難になる事態が考えられる。
【００４９】
そこで、本実施形態のデジタルカメラ１００は、階層的なタブ領域Ｒ３の表示により、現在のメニューリストが何れのカテゴリに分類され、当該カテゴリ中にサブタブ及びサブサブタブが幾つ含まれるのかといった分類の全体像を一望できるようにする。また、本実施形態では、各種タブアイコン５１〜５３においてタッチ操作を受け付けて、ユーザがメインタブ、サブタブ、サブサブタブをそれぞれ選択してメニュー画面を遷移させる、直感的なユーザ操作を実現する。
【００５０】
２−１−１．タブの階層表示について
階層的なタブ領域Ｒ３は、１層目のタブ領域Ｒ３１（第１タブ情報の一例）、２層目のタブ領域Ｒ３２（第２タブ情報の一例）及び３層目のタブ領域Ｒ３３（第３タブ情報の一例）を含む。３層のタブ領域Ｒ３１，Ｒ３２，Ｒ３３は、図８の例ではメニューリスト領域Ｒ１の水平方向Ｘ側方に、順番に配置される。
【００５１】
１層目のタブ領域Ｒ３１は、上述したメインタブの階層Ｌ１（図３）における全てのカテゴリに対応して、複数のメインタブアイコン５１を表示する。当該タブ領域Ｒ３１における何れかのメインタブアイコン５１のタッチ操作により、メインタブが選択される。操作されたメインタブアイコン５１は、対応するメインタブが選択中であることを表すように、強調表示される。
【００５２】
２層目のタブ領域Ｒ３２は、選択中のメインタブのカテゴリに含まれる全てのサブカテゴリに対応して、複数のサブタブアイコン５２を表示する。当該タブ領域Ｒ３２における何れかのサブタブアイコン５２のタッチ操作により、サブタブが選択される。操作されたサブタブアイコン５２は、対応するサブタブが選択中であることを表すように、強調表示される。
【００５３】
３層目のタブ領域Ｒ３３は、選択中のメインタブのカテゴリに含まれる全てのサブカテゴリに関してそれぞれサブサブタブの個数を示す情報を表示する。本実施形態において、３層目のタブ領域Ｒ３３は、サブタブアイコン５２に付随するインジケータ５２ａによって構成される。図９に、サブタブアイコン５２の構成を例示する。
【００５４】
本実施形態において、サブタブアイコン５２のインジケータ５２ａは、対応するサブカテゴリに関するサブサブタブの個数を示す。図９の例では、インジケータ５２ａは、サブサブタブの個数分の矩形で構成されている。インジケータ５２ａによると、メインタブの１カテゴリ中に亘るサブサブタブの存在の表示を小面積で実現できる。なお、特にサブサブタブがないサブカテゴリのサブタブアイコン５２においては、インジケータ５２ａは省略できる。
【００５５】
図９は、図８では選択中であるサブタブアイコン５２が、選択されていない状態を例示している。インジケータ５２ａは、対応するサブタブアイコン５２が選択中のときには図８に例示するように、選択中のサブサブタブを表すように、対応する部分を強調表示する。本例では、強調表示の一例として、インジケータ５２ａの中で選択されたサブサブタブに対応する矩形が、黒色から白色へ変更されている。又、本実施形態のサブタブアイコン５２は、タッチ操作を繰り返すことにより、トグル的にサブサブタブの選択を切り替えるユーザ操作すなわちトグル操作を受け付ける。
【００５６】
また、サブサブタブアイコン５３は、選択中のサブタブにおけるサブサブサブの個数分、表示される。サブサブタブアイコン５３は、各タブアイコン５１，５２と同様に、タッチ操作によりサブサブタブを選択するユーザ操作を受け付け、操作されると強調表示される。こうしたタッチ操作は、小面積のインジケータ５２ａでは実現し難い。これに対して、サブサブタブアイコン５３によると、直接的にサブサブタブを選択するユーザ操作を容易に実現できる。例えば、サブサブタブアイコン５３は、タイトル領域Ｒ２に隣り合い、水平方向Ｘに並んで配置される。こうした配置によると、サブサブタブアイコン５３の面積を確保して、タッチ操作し易くすることができる。
【００５７】
以上のようなメニュー画面を操作する際のデジタルカメラ１００の動作の詳細を以下説明する。
【００５８】
２−２．設定メニューの表示動作
デジタルカメラ１００が設定メニューのユーザ操作を受け付けるためにメニュー画面を表示する動作について、図１０〜１１Ｂを用いて説明する。
【００５９】
図１０は、デジタルカメラ１００における設定メニューの表示動作を例示するフローチャートである。図１１Ａは、デジタルカメラ１００における最終アクセステーブルＤ５の一例を示す。図１１Ｂは、最終アクセステーブルＤ５の別例を示す。
【００６０】
最終アクセステーブルＤ５は、過去の最後に表示されたメニュー画面のタブに関する情報を記録するテーブルであり、例えば「タブ分類」及び「ＩＤ」を記録する。以下では、最終アクセステーブルＤ５を用いるデジタルカメラ１００の動作例を説明する。
【００６１】
図１０のフローチャートに示す処理は、例えばメニュー表示ボタン１５６が押下されたときに開始され、制御部１３５によって実行される。ここで、最終アクセステーブルＤ５は、予めバッファメモリ１２５等に格納されていることとする。
【００６２】
まず、制御部１３５は、最終アクセステーブルＤ５に記録されたタブ分類およびＩＤを読み出す（Ｓ１）。さらに、制御部１３５は、メニューテーブルＤ４（図７）を参照し、読み出したＩＤと合致するメニューリストを作成する（Ｓ２）。
【００６３】
また、制御部１３５は、読み出したタブ分類が、サブサブタブであるか否かを判断する（Ｓ３）。例えば、図１１Ａに例示する最終アクセステーブルＤ５の場合、制御部１３５は、ステップＳ３でＹＥＳに進む。
【００６４】
最終アクセステーブルＤ５のタブ分類がサブサブタブである場合（Ｓ３でＹＥＳ）、制御部１３５は、最終アクセステーブルＤ５のＩＤをサブサブタブＩＤとして扱う。この場合、制御部１３５は、サブサブタブテーブルＤ３（図６）を参照して、上記のサブサブタブＩＤに関連付けされたサブタブＩＤを特定する（Ｓ４）。
【００６５】
一方、最終アクセステーブルＤ５のタブ分類がサブタブであって、サブサブタブではない場合（Ｓ３でＮＯ）、制御部１３５は、最終アクセステーブルＤ５のＩＤをサブタブＩＤとして扱う。図１１Ｂの例の最終アクセステーブルＤ５は、こうした場合に該当する。この場合、制御部１３５は、特にステップＳ４の処理を行わず、ステップＳ５に進む。
【００６６】
次に、制御部１３５は、サブタブテーブルＤ２を参照して、得られたサブタブＩＤに関連付けされたメインタブＩＤを特定する（Ｓ５）。
【００６７】
次に、制御部１３５は、特定した各種タブＩＤ及び作成したメニューリストに基づいて、メニュー画面を表示するように表示モニタ１３０を制御する（Ｓ６）。例えば、最終アクセステーブルＤ５が図１１Ａの場合、ステップＳ６において、図８のメニュー画面が表示される。
【００６８】
ステップＳ６において、例えば制御部１３５は、メインタブＩＤに基づき１層目のタブ領域Ｒ３１において強調表示するメインタブアイコン５１、及び２層目のタブ領域Ｒ３２に表示するサブタブアイコン５２の種類を決定する。さらに、制御部１３５は、サブタブＩＤに基づき、強調表示するサブタブアイコン５２を決定し、サブタブテーブルＤ２を参照してサブサブタブアイコン５３の個数を決定する。又、制御部１３５は、サブサブタブＩＤに基づき、強調表示するサブサブタブを決定する。さらに、制御部１３５は、作成したメニューリストをメニューリスト領域Ｒ１に表示させる。
【００６９】
ステップＳ６のメニュー画面を表示させた状態で、制御部１３５は、操作部１５０において各種のユーザ操作を受け付ける（Ｓ７）。ステップＳ７の対象となる操作は、（ｉ）各種タブアイコン５１〜５３のタッチ操作、及び（ｉｉ）メニュー画面を閉じる操作を含む。
【００７０】
各種タブアイコン５１〜５３のタッチ操作がタッチパネル１５５から入力されると（Ｓ７の（ｉ））、制御部１３５は、タッチ操作に応じてメニュー画面を遷移させるタッチ操作処理を実行する（Ｓ８）。ステップＳ８の処理については後述する。
【００７１】
メニュー画面を閉じる操作（Ｓ７の（ｉｉ））は、例えばメニュー表示ボタン１５６の押下操作である。こうしたユーザ操作が入力された場合、制御部１３５は、現在、表示中のメニュー画面に関するＩＤ等の情報に従って、最終アクセステーブルＤ５を更新する（Ｓ９）。その後、制御部１３５は、例えばメニュー画面からライブビュー画像に戻すように表示モニタ１３０を制御して、図１０のフローチャートに示す処理を終了する。
【００７２】
以上の処理によると、過去の最後にメニュー画面に表示させたサブサブタブ又はサブタブのメニューリストが、設定メニューの立ち上げ時に表示される（Ｓ１〜Ｓ６）。この際、階層的なタブ領域Ｒ３等において、表示されたメニューリストが分類される各種タブアイコン５１〜５３が、強調表示される。これにより、ユーザは現在のメニュー画面の位置づけを容易に把握することができる。
【００７３】
２−２−１．タッチ操作処理
図１０のステップＳ８におけるタッチ操作処理について、図１２〜１４Ｂを用いて説明する。図１２は、タッチ操作処理を例示するフローチャートである。
【００７４】
図１２は、タッチ操作処理を例示するフローチャートである。本フローチャートに示す処理は、表示モニタ１３０にメニュー画面が表示された状態で（図１０のＳ６）、各種タブアイコン５１〜５３のうちのいずれかのアイコンに対するタッチ操作が入力されたとき（Ｓ７の（ｉ））に開始される。
【００７５】
制御部１３５は、タッチ操作（Ｓ７の（ｉ））においてタッチされたアイコン（即ちタッチ先のアイコン）が、現在のメニュー画面において選択中のサブタブアイコンであるか否かを判断する（Ｓ２１）。本動作例において、選択中のサブタブアイコンはトグル操作時にタッチされる。
【００７６】
タッチ先のアイコンが選択中のサブタブアイコンである場合（Ｓ２１でＹＥＳ）、制御部１３５は、例えばサブタブテーブルＤ２を参照し、タッチされたアイコンのサブタブＩＤに関連付けされたサブサブタブ数を取得する（Ｓ２２）。
【００７７】
制御部１３５は、取得したサブサブタブ数が「０」であるか否かを判断する（Ｓ２３）。なお、本例では、「０」の次に大きいサブサブタブ数として「２」が用いられる（図５参照）。
【００７８】
サブサブタブ数が「０」である場合（Ｓ２３でＹＥＳ）、トグル操作の対象となるサブサブタブがないことから、制御部１３５は、図１０のステップＳ８の処理を終了し、ステップＳ７に戻る。この場合、タッチ操作（Ｓ７の（ｉ））の前後で特にメニュー画面は遷移しない。
【００７９】
一方、サブサブタブ数が「０」でない場合（Ｓ２３でＮＯ）、制御部１３５は、サブサブタブデーブルＤ３（図６）を参照し、現在の表示で選択中のサブサブタブＩＤの次の順番となるサブサブタブＩＤを取得する（Ｓ２４）。サブサブタブＩＤの順番は、トグル操作を実現するために規定される。例えば、当該順番は、サブサブタブデーブルＤ３においてサブタブＩＤが共通する範囲内で昇順等に設定され、当該範囲内における終端の次の順番は、始端となるように巡回的に設定される。
【００８０】
次に、制御部１３５は、メニューテーブルＤ４（図７）に基づいて、得られたサブサブタブＩＤといったタブのＩＤ情報に合致するメニューリストを作成する（Ｓ２５）。ステップＳ２５の処理は、図１０のステップＳ２と同様に行われる。
【００８１】
さらに、制御部１３５は、作成したメニューリスト及び得られたタブのＩＤ情報に基づいて、図１０のステップＳ６と同様に、メニュー画面を表示するように表示モニタ１３０を制御する（Ｓ２６）。その後、制御部１３５は、図１０のステップＳ８の処理を終了し、ステップＳ７に戻る。これにより、タッチ操作（Ｓ７の（ｉ））前後で、メニュー画面が操作内容に応じて遷移する。
【００８２】
また、タッチ先のアイコンが、選択中のサブタブアイコンでない場合（Ｓ２１でＮＯ）、制御部１３５は、各種タブテーブルＤ１〜Ｄ３を参照して、タッチ先のアイコンに対応するタブのＩＤ情報を特定する（Ｓ２７）。その後、制御部１３５は、特定したタブのＩＤ情報に基づき、ステップＳ２５以降の処理を行う。
【００８３】
以上のタッチ操作処理によると、トグル操作及びそれ以外のタブのタッチ操作による２種類のメニュー画面の遷移が実現される。この点について、図８，１３Ａ〜１４Ｂを参照して説明する。
【００８４】
図１３Ａは、図８の次のサブサブタブによるメニュー画面の表示例を示す。図１３Ｂは、図１３Ａの次のサブサブタブによるメニュー画面の表示例を示す。
【００８５】
トグル操作においては、ユーザが例えば図８の状態から選択中のサブタブアイコン５２をタッチすると（Ｓ２１でＹＥＳ）、メニュー画面が図１３Ａの状態に遷移する（Ｓ２２〜Ｓ２６）。再度、同じサブタブアイコン５２がタッチされると、メニュー画面は図１３Ｂの状態に遷移する。さらに再度、同じサブタブアイコン５２がタッチされると、メニュー画面は図８の状態に戻る。このように、トグル操作によると、各々のサブサブタブのメニュー画面が、巡回的に切り替えられる。
【００８６】
以上のようなトグル操作の代わりに、例えば図８の状態において、ユーザは番号「３」のサブサブタブアイコン５３をタッチすると（Ｓ２１でＮＯ）、メニュー画面を一挙に図１３Ｂの状態にまで遷移させることができる（Ｓ２５〜Ｓ２７）。他のサブサブタブアイコン５３のタッチ操作も同様に、所望のサブサブタブのメニュー画面へ一挙にメニュー画面を遷移させ、ダイレクトな操作性を実現することができる。
【００８７】
図１４Ａは、図８とは別のサブタブが選択された場合のメニュー画面の表示例を示す。図１４Ｂは、図１４Ａの次のサブサブタブが選択された場合のメニュー画面の表示例を示す。
【００８８】
例えば図８，１３Ａ，１３Ｂの何れかの状態から、選択中のサブタブアイコン５２の上方のサブタブアイコン５２にタッチ操作が為されると（Ｓ２１でＮＯ）、制御部１３５は、メニュー画面を、例えば図１４Ａの状態に遷移させる（Ｓ２５〜Ｓ２７）。図１４Ａの例ではサブサブタブの個数が２個であることから、本例のトグル操作によると、図１４Ａ，１４Ｂの２状態が巡回的に切り替えられる。又、図１４Ａ，１４Ｂの何れかの状態から、選択中のサブタブアイコン５２の下方のサブタブアイコン５２にタッチ操作が為されると、メニュー画面は、例えば図８の状態に遷移する。
【００８９】
以上のような種々のタッチ操作により、デジタルカメラ１００は、メニュー画面を様々な状態に遷移して、多岐に亘るメニュー項目を画面毎に表示できる。この際、上述したサブタブアイコン５２又はサブサブタブアイコン５３のタッチ操作においては、図８，１３Ａ〜１４Ｂに例示するように、タブ領域Ｒ３に表示されるタブアイコン５１，５２の種類は変わらず、強調表示の対象が、選択された各種タブを特定するように変化する。これにより、ユーザは、種々のタッチ操作によってメニュー画面を遷移させた際に、タブ領域Ｒ３において現在の位置付けを容易に把握することができ、目的とするメニュー項目の探索を行い易くすることができる。
【００９０】
図１４Ｃは、図８とは別のメインタブが選択された場合のメニュー画面の表示例を示す。本表示例は、表示中のサブタブにサブサブタブが設けられていない場合を例示する。
【００９１】
なお、メインタブアイコン５１に対してタッチ操作が為された場合（Ｓ２１でＮＯ）は、制御部１３５は、新たなメインタブのＩＤ情報により（Ｓ２７）、タブ領域Ｒ３におけるサブタブアイコン５２の種類を変更できる（Ｓ２６）。これにより、ユーザは、新たに選択したメインタブ（カテゴリ）内部のサブカテゴリ等の情報を確認することができる。
【００９２】
３．まとめ
以上のように、本実施形態におけるデジタルカメラ１００は、携帯型の電子機器であり、表示モニタ１３０と、操作部１５０と、制御部１３５とを備える。表示モニタ１３０は、メニュー項目を含むメニュー画面を表示する表示部の一例である。操作部１５０は、メニュー画面に対するユーザの操作を受け付ける。制御部１３５は、操作部１５０におけるユーザ操作に応じて、表示モニタ１３０を制御する。メニュー画面は、第１タブ情報の一例として１層目のタブ領域Ｒ３１と、第２タブ情報の一例として２層目のタブ領域Ｒ３２と、第３タブ情報の一例として３層目のタブ領域Ｒ３３とを含む。第１タブ情報は、メニュー項目を分類するカテゴリを示す。第２タブ情報は、カテゴリに含まれる複数のサブカテゴリを示す。第３タブ情報は、複数のサブカテゴリの各々に関して、一のサブカテゴリに対して分類されたメニュー項目を複数組に分割してメニュー画面に表示する際のメニュー項目の組の個数を示す。制御部１３５は、第１、第２及び第３タブ情報がメニュー画面に表示された状態で操作部１５０に入力されるユーザ操作に応じて、メニュー画面に表示させるメニュー項目を変更する。
【００９３】
以上のデジタルカメラ１００によると、ユーザはメニュー画面の操作時に、階層的な第１〜第３タブ情報において、カテゴリ中のメニュー項目の分類および現在表示中のメニュー項目の位置付けを確認できる。これにより、デジタルカメラ１００のような表示モニタ１３０の表示領域が小さい携帯型の電子機器において、ユーザが複数のメニュー画面にわたる探索を行い易くすることができる。
【００９４】
本実施形態において、複数のサブカテゴリのうちの一のサブカテゴリに分類されたメニュー項目の少なくとも一部がメニュー画面に表示された状態で、第３タブ情報は、複数のサブカテゴリのうちの一のサブカテゴリ及び残りのサブカテゴリの各々におけるメニュー項目の組の個数を表示する（図８など参照）。これにより、ユーザは、現在のメニュー画面に表示中のメニュー項目のサブカテゴリとは別のサブカテゴリについても、サブサブタブによって表示が分割される様子を確認でき、どのサブタブに幾つのサブサブタブが含まれているのかといったメニューの全体構成を把握することが容易になる。よって、例えばユーザがメニュー画面の遷移を繰り返してメニュー項目を探索し易くすることができる。
【００９５】
本実施形態において、操作部１５０は、例えばサブタブアイコン５２により、第２タブ情報が示す複数のサブカテゴリから一のサブカテゴリを選択するユーザ操作を受け付ける。制御部１３５は、メニューリスト領域Ｒ３１において、選択されたサブカテゴリに分類されたメニュー項目の少なくとも一部をメニュー画面に表示させる。制御部１３５は、例えばサブタブアイコン５２の強調表示により、選択されたサブカテゴリを特定するように第２タブ情報の表示を制御する。ユーザは、サブカテゴリ単位でメニュー項目を探索でき、且つ表示中のメニュー項目が分類されるサブカテゴリを随時、確認できる。
【００９６】
本実施形態において、上記のように選択されたサブカテゴリが、複数組に分割されたサブカテゴリである場合、表示モニタ１３０は、第３タブ情報として更に、当該複数組の各々を示す複数のタブの一例であるサブサブタブアイコン５３を表示する。操作部１５０は、複数のタブから一のタブを選択するユーザ操作を受け付ける。制御部１３５は、選択されたタブが示す組のメニュー項目をメニュー画面に表示させ、選択されたタブが示す組を特定するように第３タブ情報の表示を制御する（図８など参照）。これにより、サブタブアイコン５２の選択と同様に、サブサブアイコン５３のタブ単位でメニュー項目を探索できる。又、表示中のメニュー項目が分類されるサブサブタブを随時、確認できる。
【００９７】
本実施形態において、第２タブ情報は、複数のサブカテゴリの各々を示す複数のアイコンの一例であるサブタブアイコン５２を含む。サブタブアイコン５２は、対応するサブカテゴリがメニュー項目の組を含む場合にメニュー項目の組の個数を示すインジケータ５２ａを有する。第３タブ情報は、複数のサブタブアイコン５２のインジケータ５２ａによって構成される。これにより、第３タブ情報を小面積で表示でき、メニュー画面の面積効率を良くすることができる。
【００９８】
本実施形態において、操作部１５０は、サブタブアイコン５２に対するユーザ操作を受け付ける。制御部１３５は、サブタブアイコン５２に対するユーザ操作が入力される毎に、同サブタブアイコン５２のインジケータ５２ａが示すメニュー項目の組の個数において巡回的に、メニュー画面に表示させるメニュー項目の組を切り替える。こうしたトグル操作によっても、ユーザはサブカテゴリ内のメニュー項目の組を順次、探索することができる。
【００９９】
本実施形態において、操作部１５０は、メニュー画面に対するタッチ操作を受け付けるタッチパネル１５５を含む。タッチ操作により、ユーザが直感的に各種タブアイコン５１〜５３を操作して、メニュー画面の探索を行い易くすることができる。各種タブアイコン５１〜５３に対するユーザ操作はタッチ操作に限らず、例えば選択ボタン１５２によって１つのタブアイコンを選択し、決定ボタン１５３によって決定する操作であってもよい。
【０１００】
本実施形態において、電子機器の一例であるデジタルカメラ１００は、被写体像を撮像して画像データを生成する撮像装置を構成する。メニュー項目は、撮像装置の設定に関する項目を含む。本実施形態によると、撮像装置における様々な設定に関して多数のメニュー項目からユーザが目的とするメニュー項目の探索を行い易くすることができる。
【０１０１】
（他の実施形態）
以上のように、本出願において開示する技術の例示として、実施形態１を説明した。しかしながら、本開示における技術は、これに限定されず、適宜、変更、置換、付加、省略などを行った実施の形態にも適用可能である。また、上記実施形態１で説明した各構成要素を組み合わせて、新たな実施の形態とすることも可能である。そこで、以下、他の実施形態を例示する。
【０１０２】
上記の実施形態１では、メニュー画面の表示時に、各種タブアイコン５１〜５３に対するタッチ操作を受け付ける処理例を例示した（図１２）が、メニュー画面の表示時のユーザ操作は、これに限らない。例えば、メニュー画面においてメニュー項目をキー送りするようなユーザ操作が行われてもよい。こうした変形例について、図１５〜１６を用いて説明する。
【０１０３】
本変形例において、制御部１３５は、例えば図１０のステップＳ７と同様の処理において、選択ボタン１５２における下キーの押下操作を受け付けると、図１５のフローチャートに示す処理を開始する。
【０１０４】
まず、制御部１３５は、メニューテーブルＤ４において、選択中のメニュー項目の直後のメニュー項目の分類ＩＤを取得し（Ｓ３１）、取得した分類ＩＤが、現在のメニュー画面に関する分類ＩＤと同一であるか否かを判断する（Ｓ３２）。分類ＩＤが同一である場合（Ｓ３２でＹＥＳ）、制御部１３５は、現在のメニュー画面において、メニューリスト領域Ｒ１において選択中として強調表示する部分をメニュー項目の１行分、下方に移動するように、表示モニタ１３０を制御する（Ｓ３３）。この際、特にタブ領域Ｒ３の表示は変わらない。
【０１０５】
以上のような下キーの操作により、メニュー画面に表示中のメニューリストにおいてメニュー項目の選択対象を順次、下方に移動させることができる。図１４Ａの状態から下キーの操作を繰り返した場合の一例を図１６に示す。図１６の例では、選択中のメニュー項目が、メニューリスト領域Ｒ１における下端に到っている。この状態から更に下キーの操作が入力されると、制御部１３５は、ステップＳ３２でＮＯに進む。
【０１０６】
制御部１３５は、取得した分類ＩＤが、現在のメニュー画面に関する分類ＩＤと同一でないと判断すると（Ｓ３２でＮＯ）、各種タブテーブルＤ１〜Ｄ３を参照し、取得した分類ＩＤの各種タブを示すＩＤ情報を特定する（Ｓ３４）。ステップＳ３４では、新たに表示されるメニュー画面に関するタブのＩＤ情報が特定される。
【０１０７】
次に、制御部１３５は、例えば図１２のステップＳ２５，Ｓ２６と同様に、ＩＤ情報に合致するメニューリストを作成し（Ｓ３５）、新たなメニュー画面を表示するように表示モニタ１３０を制御する（Ｓ３６）。これにより、メニュー画面は、例えば図１６の状態から図１４Ｂの状態に遷移する。この際、タブ領域Ｒ３においては、メニュー画面の遷移後のサブサブタブを特定するように、強調表示の対象が変更される。
【０１０８】
又、図１４Ｂの状態から更に下キー操作を繰り返すと、図１４Ｂのメニューリストの下端のメニュー項目が選択対象となった後に、図８のメニュー画面に遷移する。この際、タブ領域Ｒ３においては、強調表示の対象となるサブタブアイコン５２が変わる。こうしたタブ領域Ｒ３における表示の変化により、ユーザはメニュー画面の操作中に、現在の位置付けを容易に把握することができる。
【０１０９】
また、図１５では、下キーの操作時の処理を例示したが、上キーの操作時にも同様の処理が適用できる。この際、制御部１３５は、ステップＳ３１において、メニューテーブルＤ４における選択中のメニュー項目の直後のメニュー項目の分類ＩＤの代わりに、直前のメニュー項目の分類ＩＤを取得する。さらに、制御部１３５は、ステップＳ３３において、メニューリスト領域Ｒ１にて選択中として強調表示する部分を、下方に代えて上方に移動するように表示モニタ１３０を制御する。
【０１１０】
上記の実施形態１において、設定メニューの表示動作（図１０）に、最終アクセステーブルＤ５を用いる例を説明したが、特に最終アクセステーブルＤ５が用いられなくてもよい。例えば、メニュー画面の立ち上げ時には、所定のＩＤのメニュー画面が表示されるようにしてもよい。
【０１１１】
上記の各実施形態において、選択中のサブタブアイコン５２においてトグル操作を受け付ける動作例を説明したが、トグル操作は省略されてもよい。この場合であっても、ユーザは、例えばサブサブタブアイコン５３のタッチ操作により、各々のサブサブタブのメニュー項目を探索できる。
【０１１２】
また、上記の各実施形態において、第３のタブ情報としてサブタブアイコン５２のインジケータ５２ａで構成されるタブ領域Ｒ３３を例示した。タブ領域Ｒ３３或いは第３のタブ情報は、特にサブタブアイコン５２のインジケータ５２ａでなくてもよく、サブタブアイコン５２とは独立したアイコン等で構成されてもよい。
【０１１３】
また、上記の各実施形態において、インジケータ５２ａが、サブサブタブの個数分の矩形で構成される例を説明した。インジケータ５２ａの構成は特にこれに限らず、例えば矩形の代わりに各種のマークを含んでもよいし、サブサブタブの個数分の数字で構成されてもよい。
【０１１４】
また、上記の各実施形態において、階層的なタブ領域Ｒ３が３層のタブ領域Ｒ３１〜Ｒ３３を含む例を説明したが、階層的なタブ領域Ｒ３は３層よりも多いタブ領域を含んでもよい。この場合、タブの階層構造（図３）が、３層よりも多い多層で構成されてもよい。
【０１１５】
また、上記の各実施形態では、撮像装置の例としてデジタルカメラを説明したが、これに限定されない。本開示の撮像装置は、画像撮影機能を有する電子機器（例えば、ビデオカメラ、スマートフォン、タブレット端末等）であればよい。また、本開示の思想は、必ずしも撮像装置に限らず、ユーザが携帯可能な各種の携帯型の電子機器にも適用可能である。
【０１１６】
以上のように、本開示における技術の例示として、実施の形態を説明した。そのために、添付図面および詳細な説明を提供した。
【０１１７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１８】
また、上述の実施の形態は、本開示における技術を例示するためのものであるから、特許請求の範囲またはその均等の範囲において種々の変更、置換、付加、省略などを行うことができる。
【産業上の利用可能性】
【０１１９】
本開示は、メニュー画面を表示する携帯型の電子機器に適用可能である。
【要約】
携帯型の電子機器は、表示部（１３０）と、操作部（１５０）と、制御部（１３５）とを備える。表示部は、メニュー項目を含むメニュー画面を表示する。操作部は、メニュー画面に対するユーザの操作を受け付ける。制御部は、操作部におけるユーザ操作に応じて、表示部を制御する。メニュー画面は、メニュー項目を分類するカテゴリを示す第１タブ情報（Ｒ３１）と、カテゴリに含まれる複数のサブカテゴリを示す第２タブ情報（Ｒ３２）と、複数のサブカテゴリの各々に関して、一のサブカテゴリに対して分類されたメニュー項目を複数組に分割してメニュー画面に表示する際のメニュー項目の組の個数を示す第３タブ情報（Ｒ３３）とをさらに含む。制御部は、第１、第２及び第３タブ情報がメニュー画面に表示された状態で操作部に入力されるユーザ操作に応じて、メニュー画面に表示させるメニュー項目を変更する。【図１】
0006883769.tif 000002
【図２】
0006883769.tif 000003
【図３】
0006883769.tif 000004
【図４】
0006883769.tif 000005
【図５】
0006883769.tif 000006
【図６】
0006883769.tif 000007
【図７】
0006883769.tif 000008
【図８】
0006883769.tif 000009
【図９】
0006883769.tif 000010
【図１０】
0006883769.tif 000011
【図１１Ａ】
0006883769.tif 000012
【図１１Ｂ】
0006883769.tif 000013
【図１２】
0006883769.tif 000014
【図１３Ａ】
0006883769.tif 000015
【図１３Ｂ】
0006883769.tif 000016
【図１４Ａ】
0006883769.tif 000017
【図１４Ｂ】
0006883769.tif 000018
【図１４Ｃ】
0006883769.tif 000019
【図１５】
0006883769.tif 000020
【図１６】
0006883769.tif 000021